(57)【要約】【課題】  スイッチの入れ忘れがなくなり、かつ、簡単に荷物に取り付けることができる輸送環境モニタリング装置を提供する【解決手段】  輸送環境モニタリング装置１は、装置本体２、及び装置本体２が装着されて荷物５に取り付けられる取付体３を備え、装置本体２は、輸送時に荷物５に作用する環境を監視して検出するセンサ部６と、センサ部６の検出情報を記録するメモリ部７と、センサ部６及びメモリ部７を駆動するための電力を供給する電源部８と、装置本体２が取付体３に装着されると、オン状態となって、装置本体２の電源をオンして、センサ部６により検出した輸送環境をメモリ部７に記録する動作を逐次行うモニタリング動作を開始させるスイッチ装置９を具備している。【選択図】図１
2005272075.tif 000002
【特許請求の範囲】
【請求項１】
装置本体、及び前記装置本体が装着されて荷物に取り付けられる取付体から構成され、前記装置本体は、輸送時に前記荷物に作用する環境を監視して検出するセンサ部と、前記センサ部の検出情報を記録するメモリ部と、前記センサ部と前記メモリ部を駆動するための電力を供給する電源部と、前記装置本体が前記取付体の所定位置に装着されるとオン状態となって、前記装置本体の電源をオンしてモニタリング動作を開始させるスイッチ手段とを具備していることを特徴とする輸送環境モニタリング装置。
【請求項２】
前記スイッチ手段は、前記装置本体及び前記取付体のいずれか一方に設けられた凸部と、他方に前記凸部に対応して設けられた凹部とを備え、前記凸部と前記凹部との係合離脱によってオン・オフされるスイッチ装置からなることを特徴とする請求項１記載の輸送環境モニタリング装置。
【請求項３】
前記取付体に、前記装置本体を嵌合させて装着する収納部を設けていることを特徴とする請求項１又は２記載の輸送環境モニタリング装置。
【請求項４】
前記取付体は、前記装置本体視認用の透明部位を有していることを特徴とする請求項１乃至３いずれか記載の輸送環境モニタリング装置。
【請求項５】
前記取付体は、前記装置本体を、再封止不可能な封止手段を用いて封止していることを特徴とする請求項１乃至４いずれか記載の輸送環境モニタリング装置。
【請求項６】
前記取付体は、前記装置本体を配置するベースと、前記装置本体に対応する形状の窪み部を有するカバーとを備えて、前記ベースに前記装置本体を配置するとともに前記窪み部に前記装置本体を収納して、前記カバーを前記ベースで封止することにより前記装置本体が装着されるブリスターパックであり、前記カバーと前記ベースは、それぞれの一端部を共通の折曲部位として一体に形成されていることを特徴とする請求項１乃至５いずれか記載の輸送環境モニタリング装置。
【請求項７】
前記スイッチ手段は、前記装置本体が前記取付体の所定位置に配置されると、オン状態となって、前記装置本体の電源をオンして前記装置本体をスタンバイ状態とする第１のスイッチ装置と、前記取付体に配置された前記装置本体の装着完了に伴って、オン状態となって、前記装置本体にモニタリング動作を開始させる第２のスイッチ装置とを備えていることを特徴とする請求項１乃至６いずれか記載の輸送環境モニタリング装置。
【発明の詳細な説明】
【技術分野】
【０００１】
本発明は、荷物の出荷から届け先までの輸送環境、例えば、温度、湿度、衝撃、圧力等の状態を記録して、荷物に破損等が生じた場合の責任義務を明確にするための輸送環境モニタリング装置に関する。
【背景技術】
【０００２】
工場等で生産された商品は、生産過程において、品質が低下したものや、破損したもの等が生じる恐れがあるが、このような商品を荷物として輸送する物流過程においても、荷物が物流過程の輸送環境から受ける、振動や衝撃等の機械的な力や、高温や低温等の温度条件や、湿度条件等によって荷物の品質の低下や破損等が生じる恐れがある。
【０００３】
従って、生産過程、物流過程を経て荷物を受け取ったユーザが商品の品質の低下や破損を発見した場合、このような品質の低下や破損が、生産過程又は物流過程のいずれで生じたものであるのかを特定して、責任義務の所在を明確にする必要があった。
【０００４】
かかる問題を解決するために、従来より、荷物が輸送される際に受ける環境の影響をセンサにより検出して記録することで、物流過程において品質の低下等が発生したか否かを判断するための輸送環境モニタリング装置が提供されており、荷物の識別情報をデータとして保持するデータキャリアのカード状の筐体に、３軸方向についての加速度センサ、３軸方向についての衝撃センサ、湿度センサ、温度センサ、及び圧力センサが搭載されたアナログ基板を搭載することで、輸送環境モニタリング装置を一体に備えたデータキャリアが提供されている（特許文献１）。
【特許文献１】特開２０００−３０２２１１号公報（第１図）
【発明の開示】
【発明が解決しようとする課題】
【０００５】
上述の輸送環境モニタリング装置を備えたデータキャリアは、使用に際して、例えばコンテナ類などの内部に収納される荷物の表面に、データキャリアの筐体に備え付けられた取り付け治具等によって添付されるものである。
【０００６】
このような輸送環境モニタリング装置は、荷物に生じる環境の影響を正しく検出するために、がたつきや揺らぎ等がないようにしっかり取り付ける必要があるため、毎回、荷物ごとに取り付けるのに非常に手間がかかり、また、取り付けに際して、取り付け時の揺れ等をノイズとして記録してしまうという問題があった。これに対し、輸送環境モニタリング装置のスイッチをオフにして取り付けることで、ノイズに関する問題をある程度解消することができていたが、輸送環境モニタリング装置のスイッチをオンにし忘れて荷物を輸送してしまうという問題を新たに生じていた。
【０００７】
従って、輸送環境モニタリング装置の荷物への取り付けは、必要以上の労力を要することとなり、取り付けが困難であるという問題があった。
【０００８】
本発明は上述の点に鑑みて為されたもので、その目的は、スイッチの入れ忘れがなくなり、かつ、簡単に荷物に取り付けることができる輸送環境モニタリング装置を提供することである。
【課題を解決するための手段】
【０００９】
上述の課題を解決するために、請求項１の発明では、装置本体、及び前記装置本体が装着されて荷物に取り付けられる取付体から構成され、前記装置本体は、輸送時に前記荷物に作用する環境を監視して検出するセンサ部と、前記センサ部の検出情報を記録するメモリ部と、前記センサ部と前記メモリ部を駆動するための電力を供給する電源部と、前記装置本体が前記取付体の所定位置に装着されるとオン状態となって、前記装置本体の電源をオンしてモニタリング動作を開始させるスイッチ手段とを具備していることを特徴とする輸送環境モニタリング装置とした。
【００１０】
請求項１の発明によれば、装置本体を取付体に装着すると、スイッチ手段がオン状態となって装置本体にモニタリング動作を開始させるため、輸送環境モニタリング装置のスイッチの入れ忘れがなくなり、確実に動作させることができる。また、予め取付体のみを先に荷物に取り付けておくことで、装置本体を取付体に装着するだけで装置本体を荷物に取り付け可能となるため、これにより、輸送環境モニタリング装置を荷物に簡単に取り付けることができ、加えて、装置本体自体を荷物に取り付ける必要がなくなるため、装置本体に取り付け治具を備え付ける必要が無く、装置本体の使いまわしが容易になる。さらに、装置本体を取付体に装着しなければ装置本体は動作しないため、輸送環境モニタリング装置を装置本体と取付体とに分けて保管しておけば、保管時等に誤動作することや、電力を無駄に浪費してしまうことがなくなる。
【００１１】
請求項２の発明では、請求項１の発明の構成に加えて、前記スイッチ手段は、前記装置本体及び前記取付体のいずれか一方に設けられた凸部と、他方に前記凸部に対応して設けられた凹部とを備え、前記凸部と前記凹部との係合離脱によってオン・オフされるスイッチ装置からなることを特徴とする輸送環境モニタリング装置とした。
【００１２】
請求項２の発明によれば、凸部と凹部との係合離脱によってオン・オフされるスイッチ装置により、輸送環境モニタリング装置のモニタリング動作を開始させることができる。
【００１３】
請求項３の発明では、請求項１又は２の発明の構成に加えて、前記取付体に、前記装置本体を嵌合させて装着する収納部を設けていることを特徴とする輸送環境モニタリング装置とした。
【００１４】
請求項３の発明によれば、装置本体を取付体に対してがたつくことなく固定して装着することができるため、装置本体が取付体に対して不安定に揺動することを防止でき、これにより、例えば、荷物に衝撃が加わった際に、荷物に加わった衝撃だけではなく、装置本体が取付体に衝突することによって生じた衝撃まで検出してしまうといった不具合を防止することができ、荷物に生じる輸送環境を正しく検出することが可能となる。
【００１５】
請求項４の発明では、請求項１乃至３いずれかの発明の構成に加えて、前記取付体は、前記装置本体視認用の透明部位を有していることを特徴とする輸送環境モニタリング装置とした。
【００１６】
請求項４の発明によれば、装置本体が取付体に装着されているか否かを一目で確認することができ、加えて、荷物の運搬者に輸送環境モニタリング装置が動作していることを認識させやすくなるため、運搬者に輸送時の注意を促すことができる。
【００１７】
請求項５の発明では、請求項１乃至４いずれかの発明の構成に加えて、前記取付体は、前記装置本体を、再封止不可能な封止手段を用いて封止していることを特徴とする輸送環境モニタリング装置とした。
【００１８】
請求項５の発明によれば、装置本体を取付体に装着した後に、装置本体を取付体から取り外したか否かを容易に確認することができ、加えて不正に輸送環境モニタリング装置の動作を中断しようとすることを防止できる。
【００１９】
請求項６の発明では、請求項１乃至５いずれかの発明の構成に加えて、前記取付体は、前記装置本体を配置するベースと、前記装置本体に対応する形状の窪み部を有するカバーとを備えて、前記ベースに前記装置本体を配置するとともに前記窪み部に前記装置本体を収納して、前記カバーを前記ベースで封止することにより前記装置本体が装着されるブリスターパックであり、前記カバーと前記ベースは、それぞれの一端部を共通の折曲部位として一体に形成されていることを特徴とする輸送環境モニタリング装置とした。
【００２０】
請求項６の発明によれば、ベースとカバーとを備えたブリスターパックである取付体において、ベースとカバーを両手に持たなくても装置本体を取付体に装着することができ、また、ベースとカバーが一体となっているために、どちらかを紛失する恐れがなくなる。これにより、装置本体を取付体に装着する際の作業性が向上する。
【００２１】
請求項７の発明では、請求項１乃至６いずれかの発明の構成に加えて、前記スイッチ手段は、前記装置本体が前記取付体の所定位置に配置されると、オン状態となって、前記装置本体の電源をオンして前記装置本体をスタンバイ状態とする第１のスイッチ装置と、前記取付体に配置された前記装置本体の装着完了に伴って、オン状態となって、前記装置本体にモニタリング動作を開始させる第２のスイッチ装置とを備えていることを特徴とする輸送環境モニタリング装置とした。
【００２２】
請求項７の発明によれば、装置本体を取付体の所定位置に配置した状態では、装置本体がスタンバイ状態となるだけでモニタリング動作を開始せず、装置本体の装着完了に伴ってモニタリング動作が開始されるため、装置本体装着中に生じる、例えば、振動等によるノイズを除去することができ、また、装着完了によりモニタリング動作を開始させることができるため、装置本体を取付体に配置だけしてスタンバイ状態としておくことで、任意のタイミングで輸送環境モニタリング装置のモニタリング動作を開始させることができる。
【発明の効果】
【００２３】
本発明は、輸送環境モニタリング装置のスイッチの入れ忘れがなくなり、確実に動作させることができ、加えて、輸送環境モニタリング装置を荷物に簡単に取り付けることができるという効果がある。また、装置本体の使いまわしが容易になり、さらに、輸送環境モニタリング装置を装置本体と取付体とに分けて保管しておけば、保管時等に誤動作することや、電力を無駄に浪費してしまうことを防止できるという効果がある。
【発明を実施するための最良の形態】
【００２４】
（実施形態１）
本実施形態の輸送環境モニタリング装置（以下、モニタリング装置）１は、図１（ａ）、（ｂ）に示すように、装置本体２、及び装置本体２が装着されて荷物５に取り付けられる取付体３から構成されている。装置本体２は、図１（ｃ）に示すように、輸送時に荷物５に作用する環境を監視して検出するセンサ部６と、センサ部６の検出情報を記録するメモリ部７と、センサ部６及びメモリ部７を駆動するための電力を供給する電源部８と、装置本体２が取付体３に装着されると、オン状態となって、装置本体２の電源をオンして、センサ部６により検出した輸送環境をメモリ部７に記録する動作を逐次行うモニタリング動作を開始させるスイッチ手段であるスイッチ装置９を具備している。
【００２５】
以下に、装置本体２及び取付体３について詳細に説明する。
【００２６】
装置本体２は、略直方体状の筐体１０に、センサ部６、メモリ部７、電源部８、及びスイッチ装置９を収納して構成されている。センサ部６は、荷物５輸送時に、荷物５に作用する環境を検出するセンサ回路を備えている。該センサ回路は、例えば、３軸の加速度センサ、３軸の衝撃センサ、温度センサ、湿度センサ、圧力センサ等のセンサを必要に応じて具備するもので、例えば、３軸の加速度センサや３軸の衝撃センサは、精密機器や割れ物等の衝撃に対して弱い荷物等を輸送する際に、振動や衝撃等の機械的な力を検出するために用いられ、温度センサは、ワイン、生鮮食料品等の一定温度下で保存する必要がある荷物等を輸送する際に、輸送中の温度を検出するために用いられ、湿度センサは、湿気に弱い荷物等を輸送する際に、輸送中の湿気や汗濡れ現象を検出するために用いられ、圧力センサは、一定圧下で保存する必要がある荷物等を輸送する際に、輸送中の荷物にかかる圧力を検出するために用いられる。加えてセンサ部６は、前記センサ回路に具備された各センサからの検出情報をデジタル信号に変換するＡ／Ｄ変換回路や、前記Ａ／Ｄ変換回路から出力されるデジタル信号のデータ処理等を行うＣＰＵや、前記ＣＰＵによりデータ処理されたデジタル信号をメモリ部７に出力する機能を有する制御回路等を備えて構成されている。メモリ部７は、例えば不揮発性メモリ等が用いられ、センサ部６からの検出情報を記録、格納するものであり、電源部８は、センサ部６等に電力を供給して装置本体２を駆動するものである。
【００２７】
スイッチ装置９は、装置本体２の電源をオンしてモニタリング動作を開始させるスイッチであり、例えば、永久磁石の磁束が通過した際に、接点を閉鎖してオン状態となるリードスイッチ等が用いられる。このようなスイッチ装置９に対応して、後述するように永久磁石を取付体３に設けておくことで、リードスイッチ及び永久磁石からなる磁気近接スイッチが構成されることとなる。すなわち、このような磁気近接スイッチを設けることで、モニタリング装置１は、装置本体２を取付体３に装着した際にオン状態となって装置本体２にモニタリング動作を開始させ、装置本体２を取付体３から取り外した際にオフ状態となって装置本体２の駆動を停止する機能を有することになる。
【００２８】
また、装置本体２は、メモリ部７に格納されたセンサ部６からの検出情報を抽出するためにインターフェース１１を備えて、周辺機器を接続可能としている。
【００２９】
取付体３は、略長方形の平板状のベース１２と、ベース１２の略中央部に設けられ、装置本体２を装着するための装着部１２ａと、ベース１２の各角部に設けられ、荷物５に取り付けを行うための、例えば、取付ねじが挿通される取付孔からなる取付部４とを備えるとともに、スイッチ装置９をオン状態にするための前記永久磁石を装着部１２ａの装置本体２のスイッチ装置９と対応する位置に設けてある。
【００３０】
以上により構成されたモニタリング装置１は、図１（ａ）、（ｂ）に示すように、取付体３を荷物５に取付部４を用いて取り付け、この取付体３に装置本体２を装着することで、荷物５に取り付けられることとなり、この装着時に、取付体３の前記永久磁石の磁束によって装置本体２のスイッチ装置９の接点が閉鎖されて、装置本体２の電源がオンになって、輸送環境の検出、記録を行うモニタリング動作が開始されるのである。
【００３１】
本実施形態のモニタリング装置１によれば、装置本体２を取付体３に装着すると、スイッチ装置９がオン状態となって装置本体２にモニタリング動作を開始させるため、モニタリング装置１のスイッチの入れ忘れがなくなり、確実に動作させることができる。また、予め取付体３のみを先に荷物５に取り付けておくことで、装置本体２を取付体３に装着するだけで装置本体２を荷物５に取り付け可能となるため、これにより、モニタリング装置１を荷物５に簡単に取り付けることができ、加えて、装置本体２自体を荷物５に取り付ける必要がなくなるため、装置本体２に取り付け治具を備え付ける必要が無く、装置本体２の使いまわしが容易になる。さらに、装置本体２を取付体３に装着しなければ装置本体２は動作しないため、モニタリング装置１を装置本体２と取付体３とに分けて保管しておけば、保管時等に誤動作することや、電力を無駄に浪費してしまうことがなくなる。
【００３２】
また、スイッチ装置９は、上述のようなリードスイッチに限られるものではなく、例えば、操作部が押圧状態である時にオン状態となり、押圧が解除されれば付勢力により復帰してオフ状態となるようなタクトスイッチ等のプッシュスイッチを用いることができる。このとき、図２（ａ）に示すように、スイッチ装置９としてタクトスイッチ（図示せず）を装置本体２に収納し、前記タクトスイッチの操作部を、装置本体２の装着部１２ａに接触される面に設けた孔部１３ａから外部へ臨ませて、前記操作部と孔部１３ａから凹部１３を構成してある。そして、装置本体２を取付体３に装着した際に、凹部１３に対応する装着部１２ａの部位に、凹部１３と係合する凸部１４を設けることで、凸部１４と凹部１３との係合離脱によってオン・オフが制御されるスイッチ構成を得ることができる。すなわち、装置本体２を取付体３に装着すると、凸部１４が凹部１３に係合するとともに、凸部１４の先部によりタクトスイッチの操作部が押圧されることになるため、タクトスイッチがオン状態に保たれ、装置本体２を取付体３から取り外すと、凸部１４が凹部１３から離脱して、凸部１４の先部によるタクトスイッチの操作部の押圧が解除されて、タクトスイッチがオフ状態となるのである。これにより、上述と同様に、モニタリング装置１は、装置本体２を取付体３に装着した際にオン状態となって装置本体２にモニタリング動作を開始させ、装置本体２を取付体３から取り外した際にオフ状態となって装置本体２の駆動を停止する機能を有することになる。
【００３３】
ところで、取付体３のベース１２は、図２（ｂ）に示すように、装置本体２が装着される側の面を平坦な面に形成されているが、図２（ｃ）に示すように、内縁部の形状を装置本体２と嵌合する形状に形成した枠体１５を装着部１２ａの周縁部に立設して、装着部１２ａ及び枠体１５により、装置本体２を嵌合させて装着する収納部１６を設けることとしてもよい。このような収納部１６によれば、装置本体２を取付体３に対してがたつくことなく固定して装着することができるようになるため、装置本体２が取付体３に対して不安定に揺動することを防止することができ、これにより、例えば、輸送時に荷物５に衝撃が加わった際に、荷物５に加わった衝撃だけでなく、装置本体２が取付体３に衝突することによって生じた衝撃まで検出してしまうといった不具合を防止することができ、荷物５に生じる輸送環境を正しく検出することが可能となる。
（実施形態２）
本実施形態のモニタリング装置１は、上記実施形態１のモニタリング装置１と比べて、取付体３を、ブリスターパック型としたことに特徴があり、その他の構成は、上記実施形態１と略同様であるので説明を省略する。
【００３４】
取付体３は、図３（ａ）に示すように、装置本体２を配置される上記実施形態１と略同様のベース１２と、装置本体２に対応する形状の窪み部１８を有する後述するカバー１７とを備えるブリスターパック型であり、前記カバー１７は、平板状の板部１７ａの略中央部に、装置本体２の形状に対応する形状の窪み部１８を有し、この窪み部１８の前面部１８ａをアクリル材料等の透明な部材により形成されている。
【００３５】
以上により構成された取付体３は、ベース１２に装置本体２を配置するとともに窪み部１８に装置本体２を収納して、カバー１７の板部１７ａに封止材１９を塗布してカバー１７をベース１２で封止することにより装置本体２が装着されるブリスターパックである。
【００３６】
このようなブリスターパック型の取付体３によれば、装置本体２を取付体３に装着すると、装置本体２は取付体３でパッケージングされることとなる。すなわち、装置本体２を取付体３で包装することができ、これにより、装置本体２が不意に取付体３から脱落してしまうことを防止することができる。加えて、前面部１８ａを透明な部材から形成することで、取付体３は装置本体視認用の透明部位を有することとなり、これにより、装置本体２が取付体３に装着されているか否かを一目で確認することができ、加えて、荷物５の運搬者にモニタリング装置１が動作していることを認識させやすくなるため、運搬者に輸送時の注意を促すことができる。なお、カバー１７は、前面部１８ａだけではなく、カバー１７全体を透明な部材から形成してもよい。加えて、上述の枠体１５をベース１２に設けて収納部１６を形成し、カバー１７の窪み部１８を枠体１５とともに装置本体２を収納できる程度の大きさに形成することで、上述したように装置本体２のがたつきを防止することができる。
【００３７】
一方、カバー１７は、封止材１９を用いてベース１２に固着されているが、封止材１９として再封止不可能な封止材を用いて装置本体２を取付体３に装着することにより、次のような効果を得ることができる。すなわち、封止材１９として再封止不可能な封止材を用いれば、一旦固着したカバー１７とベース１２とを引き剥がすと、封止材１９の粘着力等が発揮できなくなって再封止不可能となり、さらに、封止材１９を塗布した痕跡が残ることとなる。そのため、装置本体２を取付体３に装着した後に、装置本体２を取付体３から取り外したか否かを容易に確認することができ、加えて不正にモニタリング装置１の動作を中断しようとすることを防止できる。或いは、図３（ｂ）に示すように、封止材１９の替わりに封止シール２０を用いることもでき、このような封止シール２０によれば、封止シール２０の破損や、糊の付着等により、同様の効果を得ることができる。また、カバー１７とベース１２とを融着することとしてもよく、これによっても融着跡が残るために、同様の効果を得ることができる。
【００３８】
ところで、本実施形態の取付体３は、ベース１２とカバー１７とから構成されるブリスターパック型であるが、ベース１２とカバー１７とを一体に形成することとしてもよい。例えば、図４（ａ）に示すように、カバー１７とベース１２とをそれぞれの一端部を共通の折曲部２１として一体に形成することができる。このような取付体３によれば、ベース１２に装置本体２を配置した後に、図４（ｃ）に示すように、カバー１７を折曲部２１で折り曲げて、図４（ｂ）に示すように、装置本体２を枠体１５とともに窪み部１８に収納することで、装置本体２を取付体３に装着することができる。
【００３９】
この場合、ベース１２とカバー１７とがそれぞれの一端部を共通の折曲部２１として一体となっているために、ベース１２とカバー１７を両手に持たなくても装置本体２を取付体３に装着することができる。加えて、ベース１２とカバー１７とを一体としてあるので、どちらかを紛失する恐れがなくなる。これにより、装置本体２を取付体３に装着する際の作業性が向上する。
（実施形態３）
本実施形態のモニタリング装置１は、上記実施形態２のモニタリング装置１と比べて、装置本体２に、スイッチ装置９に加えて動作開始スイッチ２２を設けたことに特徴があり、その他の構成は、上記実施形態２と略同様であるので説明を省略する。なお図５では取付部４を省略してある。
【００４０】
装置本体２は、図５に示すように、前面部に凹部型の操作部２２ａが露設されて筐体１０に収納された、例えば上記のようなタクトスイッチからなる動作開始スイッチ２２を具備しており、動作開始スイッチ２２とスイッチ装置９とが、ともにオン状態となったときに、モニタリング動作が開始されるように構成してある。
【００４１】
また、カバー１７の窪み部１８の前面部１８ａには、カバー１７をベース１２に固着した際に、動作開始スイッチ２２の操作部２２ａと対向する位置に凸部型の押圧部２３を設けてある。このような押圧部２３によれば、カバー１７を装置本体２が配置されたベース１２に固着することで、押圧部２３により操作部２２ａを押圧でき、動作開始スイッチ２２をオン状態とすることができる。
【００４２】
以上のように、動作開始スイッチ２２及び押圧部２３を付設されたモニタリング装置１によれば、装置本体２をベース１２の装着部１２ａに配置すると、スイッチ装置９がオン状態となって装置本体２の電源がオンされるが、動作開始スイッチ２２がオフ状態であるためにモニタリング動作は開始されない。そして、装置本体２が配置されたベース１２にカバー１７を固着すると、押圧部２３により操作部２２ａが押圧され、これにより動作開始スイッチ２２がオン状態となり、モニタリング動作が開始されることとなる。
【００４３】
すなわち、上記実施形態１、２では、１つのスイッチ装置９により、装置本体２が取付体３の装着部１２ａに装着されるとオン状態となって装置本体２の電源をオンしてモニタリング動作を開始させるスイッチ手段を構成しているのに対して、本実施形態では、上記のスイッチ手段を、装置本体２が取付体３の装着部１２ａに配置されるとオン状態となって、装置本体２の電源をオンしてスタンバイ状態とする第１のスイッチ装置であるスイッチ装置９と、取付体３に配置された装置本体２の装着完了に伴ってオン状態となって、装置本体２にモニタリング動作を開始させる第２のスイッチ装置である動作開始スイッチ２２とから構成したものである。
【００４４】
本実施形態によれば、装置本体２を取付体３の所定位置である装着部１２ａに配置した状態では、スイッチ装置９のみがオン状態となり、装置本体２がスタンバイ状態となるだけでモニタリング動作を開始せず、装置本体２が配置されたベース１２にカバー１７を取り付けて装置本体２の装着が完了すると、動作開始スイッチ２２がオン状態となり、モニタリング動作が開始されるため、装置本体２装着中に装置本体２に生じる、例えば、振動等によるノイズを除去することができる。また、装置本体２の装着完了によりモニタリング動作を開始させることができるため、装置本体２を取付体３のベース１２に配置だけしてスタンバイ状態としておくことで、カバー１７の取り付けによって任意のタイミングでモニタリング装置１のモニタリング動作を開始させることができる。
【図面の簡単な説明】
【００４５】
【図１】（ａ）は、本発明の実施形態１の輸送環境モニタリング装置の分解斜視図であり、（ｂ）は、同上の輸送環境モニタリング装置の使用説明図であり、（ｃ）は、同上の輸送環境モニタリング装置の回路ブロック図である。
【図２】（ａ）は、凹凸係合のスイッチを設けた輸送環境モニタリング装置の分解斜視図であり、（ｂ）は、本発明の実施形態１の輸送環境モニタリング装置の分解斜視図であり、（ｃ）は、同上のその他の輸送環境モニタリング装置の分解斜視図である。
【図３】（ａ）は、本発明の実施形態２の輸送環境モニタリング装置の分解斜視図であり、（ｂ）は、同上のその他の輸送環境モニタリング装置の斜視図である。
【図４】（ａ）は、同上のさらにその他の輸送環境モニタリング装置の斜視図であり、（ｂ）は、同図（ａ）のＡ−Ａ’矢視線断面の概略説明図であり、（ｃ）は、同図（ｂ）における概略説明図である。
【図５】本発明の実施形態３の輸送環境モニタリング装置の斜視図である。
【符号の説明】
【００４６】
１    輸送環境モニタリング装置
２    装置本体
３    取付体
４    取付部
５    荷物
６    センサ部
７    メモリ部
８    電源部
９    スイッチ装置
１０    筐体
１１    インターフェース
１２    ベース
１２ａ  装着部
【図１】
2005272075.tif 000003
【図２】
2005272075.tif 000004
【図３】
2005272075.tif 000005
【図４】
2005272075.tif 000006
【図５】
2005272075.tif 000007